(57)【要約】【課題】投写される画像のコントラストの向上や色ムラの低減を図るプロジェクターを提供する。【解決手段】プロジェクターは、光源、および光源を収納する光源用筐体７を有する光源装置３１と、光源装置３１から射出された光束を変調する光変調装置と、光変調装置を収納する光学部品用筐体５と、プロジェクターの外部から光源装置３１を移動させるための移動機構６とを備え、光源装置３１は、光学部品用筐体５に対し、光源装置３１が射出する光束の光軸に略直交する面内で互いに直交する２方向に移動可能に構成されている。【選択図】図３
2011242712.tif 000002
【特許請求の範囲】
【請求項１】
光源、および前記光源を収納する光源用筐体を有する光源装置と、
前記光源装置から射出された光束を変調する光変調装置と、
前記光変調装置を収納する光学部品用筐体と、
を備え、
前記光源装置は、前記光学部品用筐体に対し、前記光源装置が射出する光束の光軸に略直交する方向に移動可能に構成されていることを特徴とするプロジェクター。
【請求項２】
請求項１に記載のプロジェクターであって、
前記光源装置は、前記光軸に略直交する面内で互いに直交する２方向に移動可能に構成されていることを特徴とするプロジェクター。
【請求項３】
請求項１または請求項２に記載のプロジェクターであって、
前記光源装置を着脱可能に保持し、前記光源装置と共に移動可能な保持部を備えていることを特徴とするプロジェクター。
【請求項４】
請求項１〜請求項３のいずれか一項に記載のプロジェクターであって、
当該プロジェクターの外部から前記光源装置を移動させるための移動機構を備えていることを特徴とするプロジェクター。
【請求項５】
請求項４に記載のプロジェクターであって、
前記移動機構は、
前記光源装置が支持され、前記光軸に略直交する面内で互いに直交する第１方向および第２方向に移動可能な第１移動部と、
前記第１移動部と共に前記第１方向に移動可能とし、前記第１移動部の前記第２方向への移動を案内する第２移動部と、
前記第１移動部を前記第２方向に移動させる第１駆動部と、
前記第２移動部を前記第１方向に移動させる第２駆動部と、
を備えていることを特徴とするプロジェクター。
【発明の詳細な説明】
【技術分野】
【０００１】
本発明は、プロジェクターに関する。
【背景技術】
【０００２】
従来、光源装置から射出された光束を光変調装置にて変調して投写するプロジェクターが知られている。光源装置は、光源および光源を収納する光源用筐体等を備え、光学部品を収納する光学部品用筐体に対して着脱可能に構成されている。また、光源から射出された光束は、輝度むらがあるため、光束を複数の光束に分割した後、各光束を光変調装置に重畳させる、いわゆるインテグレーター照明光学系を備えたプロジェクターが知られている（例えば、特許文献１参照）。
【０００３】
特許文献１に記載の光源装置は、光源（光源ランプ）、光源用筐体（ランプハウジング）に加え、光源と一体化されたリフレクターを備えている。光源用筐体は、リフレクターを光軸方向、および光軸に対して直交する面内で互いに直交する２方向に位置決めする位置決め面を有し、リフレクターが位置決め面に位置決めされた状態で光学部品用筐体（下ライトガイド）に配置される。すなわち、光源装置は、リフレクターと一体化された光源が３方向に位置決めされて配置される。
【先行技術文献】
【特許文献】
【０００４】
【特許文献１】特開２００３−２８７８１２号公報
【発明の概要】
【発明が解決しようとする課題】
【０００５】
しかしながら、特許文献１に記載の技術は、光源装置が３方向に位置決めされ、光源装置から射出される光束がインテグレーター照明光学系によって略均一化されるとはいうものの、光源が個別に有する輝度分布のバラツキや、光源装置を構成する各部品の寸法公差によるバラツキ等によって、光変調装置に照射される光束も分布状態がばらつく恐れがある。光変調装置に照射される光束の分布状態がばらつくと、スクリーン等に表示される画像は、色ムラや明るさのムラが生じ、画像品質が低下するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源、および前記光源を収納する光源用筐体を有する光源装置と、前記光源装置から射出された光束を変調する光変調装置と、前記光変調装置を収納する光学部品用筐体と、を備え、前記光源装置は、前記光学部品用筐体に対し、前記光源装置が射出する光束の光軸に略直交する方向に移動可能に構成されていることを特徴とする。
【０００８】
この構成によれば、光源装置は、光学部品用筐体に対し、光軸に略直交する方向に移動可能に構成されている。これによって、光学部品用筐体に収納されている光変調装置に照射される光束の入射角や照度分布を変更することが可能となる。よって、光変調装置の視野角特性や光源装置が個別に有する輝度分布等に応じて光源装置を移動させ、光変調装置に効率良く光束を照射することが可能となる。したがって、プロジェクターは、光変調装置が光源装置からの光束を有効に利用して変調し、コントラストの向上や色ムラの低減を図ってスクリーン等の投写面に画像を表示させることが可能となる。
【０００９】
［適用例２］上記適用例に係るプロジェクターにおいて、前記光源装置は、前記光軸に略直交する面内で互いに直交する２方向に移動可能に構成されていることが好ましい。
【００１０】
この構成によれば、光源装置は、光軸に略直交する面内での移動が可能なので、移動される範囲が２次元的に広がり、さらに効率良く光変調装置に光束を照射することが可能となる。よって、プロジェクターは、コントラストの向上や色ムラの低減をさらに図ってスクリーン等の投写面に画像を表示させることが可能となる。
【００１１】
［適用例３］上記適用例に係るプロジェクターにおいて、前記光源装置を着脱可能に保持し、前記光源装置と共に移動可能な保持部を備えていることが好ましい。
【００１２】
この構成によれば、光源装置は、保持部に保持され、保持部と共に移動可能となっている。これによって、光源装置に光源装置を移動させるための構成や形状等を盛り込むことなく、光源装置を移動させることができるので、光源装置の構成の簡素化や、複数の機種にこの光源装置を使用する、いわゆる共通化が可能となる。よって、光源装置の製造コストの低減化や、在庫管理の簡素化等が図れる。
【００１３】
［適用例４］上記適用例に係るプロジェクターにおいて、当該プロジェクターの外部から前記光源装置を移動させるための移動機構を備えていることが好ましい。
【００１４】
この構成によれば、プロジェクターの外部から光源装置を移動させることができるので、プロジェクターの製造者に限らず使用者が光源装置を移動させ、光源装置の位置を調整できる。よって、長期使用に伴う光源の光学的特性の変化に応じて光源装置を移動させたり、寿命等によって光源装置を交換した際等にその光源装置が個別に有する光学特性に合わせて移動させたりすることができる。したがって、プロジェクターは、コントラストの向上や色ムラの低減を維持してスクリーン等の投写面に画像を表示させることが可能となる。また、使用する光源の輝度バラツキの許容範囲を広げることや、光源装置を構成する部材の寸法精度の緩和が可能となるので、光源装置製造の歩留まり向上や光源装置の低コスト化が図れる。
【００１５】
［適用例５］上記適用例に係るプロジェクターにおいて、前記移動機構は、前記光源装置が支持され、前記光軸に略直交する面内で互いに直交する第１方向および第２方向に移動可能な第１移動部と、前記第１移動部と共に前記第１方向に移動可能とし、前記第１移動部の前記第２方向への移動を案内する第２移動部と、前記第１移動部を前記第２方向に移動させる第１駆動部と、前記第２移動部を前記第１方向に移動させる第２駆動部と、を備えていることが好ましい。
【００１６】
この構成によれば、光源装置は、第１移動部に支持されている。そして、光源装置は、第１駆動部が駆動されると、第１移動部が第２移動部に案内されて第２方向に移動し、第２駆動部が駆動されると、第１移動部と共に第１方向に移動する。これによって、光軸に略直交する面内で光源装置を容易に移動させることができるので、投写された画像のコントラストの向上や色ムラの低減を図る際の操作性の向上が図れる。
【図面の簡単な説明】
【００１７】
【図１】本実施形態のプロジェクターの外観を模式的に示す斜視図。
【図２】本実施形態のプロジェクターの概略構成を示す模式図。
【図３】本実施形態の光学ユニットの斜視図。
【図４】本実施形態の光学ユニットの分解斜視図。
【図５】本実施形態の保持部の斜視図。
【図６】本実施形態の移動機構の斜視図。
【図７】本実施形態の光学ユニットを模式的に示す図。
【図８】本実施形態の基準状態における光源装置から射出された光束の光路を模式的に示す図。
【発明を実施するための形態】
【００１８】
以下、本実施形態に係るプロジェクターについて、図面を参照して説明する。
本実施形態のプロジェクターは、光源装置から射出された光束を画像情報に応じて変調してスクリーン等に投写する。
図１は、本実施形態のプロジェクターの外観を模式的に示す斜視図である。図２は、本実施形態のプロジェクターの概略構成を示す模式図である。
プロジェクター１は、図１、図２に示すように、外装を構成する外装筐体２、光源装置３１を有する光学ユニット３、制御部、光源装置３１や制御部に電力を供給する電源装置、およびプロジェクター１内部を冷却する冷却ファン等（いずれも図示省略）を備えている。なお、以下では、説明の便宜上、光源装置３１から光束が射出される方向を＋Ｘ方向、光が投写される方向を＋Ｙ方向（前方向）、Ｘ方向およびＹ方向に直交し、図１の図面視における上を＋Ｚ方向（上方向）として記載する。
【００１９】
外装筐体２は、合成樹脂製であり、図１に示すように、上部を構成するアッパーケース２１と、下部を構成する図示しないロアーケース等を備え、これらは、互いにネジ等により固定されている。
【００２０】
アッパーケース２１の前面２１Ａには、前方から見て略円形状の投写用開口部２１１が形成されており、この投写用開口部２１１の内側の外装筐体２内には、光学ユニット３に備えられた投写レンズ３６が配置されている。そして、投写レンズ３６から射出された光束は、この投写用開口部２１１から前方に投写される。
【００２１】
アッパーケース２１の上面２１Ｂには、投写用開口部２１１の近傍にレバー用開口部２１２が形成されており、そのレバー用開口部２１２から投写レンズ３６のフォーカス調整、およびズーム調整の操作を行うレバー３６１，３６２が露出している。また、アッパーケース２１の上面２１Ｂには、レバー用開口部２１２の後方に操作パネル２０が配置されている。操作パネル２０は、プロジェクター１の各種設定を行うためのメニュー画像の表示／非表示を切り替えるメニューキー、入力ソースを切り替えるソース切替えキー等、各種指示を行うための複数のキー等を備えている。
【００２２】
また、アッパーケース２１の上面２１Ｂには、操作パネル２０の−Ｘ方向に光源装置３１（図２参照）を交換するための光源用開口部２１３が形成されている。この光源用開口部２１３は、外装筐体２の一部を構成する蓋部材２２がアッパーケース２１に装着されることによって閉塞される。そして、アッパーケース２１の上面２１Ｂには、光源用開口部２１３の＋Ｘ側および＋Ｙ側にダイヤル用開口部２１４，２１５が形成されており、このダイヤル用開口部２１４，２１５から後述する移動機構６の第２ダイヤル６８１、第１ダイヤル６７１（図３参照）の一部がそれぞれ露出している。
【００２３】
アッパーケース２１の＋Ｘ側の側面２１Ｃには、吸気口２１６が形成されており、外装筐体２の内部は、この吸気口２１６から取り込まれた空気によって冷却される。また、吸気口２１６には、図示しない防塵フィルターが配置されており、外気に混在する塵埃が外装筐体２の内部に侵入することを抑制している。防塵フィルターは、フィルターカバー２３によって保持されている。
また、図示は省略するが、外装筐体２には、外装筐体２内の温まった空気を外部に排出するための排気口が設けられている。
【００２４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作に関わる制御等を行う。
【００２５】
光学ユニット３は、制御部による制御の下、光源装置３１から射出された光束を光学的に処理して投写する。
光学ユニット３は、図２に示すように、光源装置３１に加え、インテグレーター照明光学系３２、色分離光学系３３、リレー光学系３４、電気光学装置３５、投写レンズ３６、光源装置３１を保持する保持部４、光学部品用筐体５、および移動機構６を備える。
【００２６】
光源装置３１は、光源３１１、リフレクター３１２、入力コネクター（図示省略）、および光源用筐体７を備え、後述する保持部４に保持され、射出する光束の光軸Ｌに対し、略直交する方向に保持部４と共に移動可能に構成されている。光源装置３１は、光軸Ｌがシステム光軸ＳＬと重なる位置を基準状態として構成されている（図２参照）。ここで、システム光軸ＳＬとは、インテグレーター照明光学系３２から電気光学装置３５の間の光路で、液晶ライトバルブ３５１の画像形成領域の中心を通り、液晶ライトバルブ３５１の光束の入射側端面に略直角となる軸を有する軸のことをいう。
【００２７】
光源３１１は、超高圧水銀ランプやメタルハライドランプ等からなる放電型のランプとして構成され、光束を射出する。リフレクター３１２は、光源３１１から射出された放射状の光束を反射して射出方向を揃え、インテグレーター照明光学系３２に向けて射出する。
【００２８】
入力コネクターは、電源装置と電気的に接続される接続部であり、光源装置３１が保持部４に挿着される際に、保持部４に配置された電源装置の出力コネクターに接続される。光源用筐体７は、光源３１１、リフレクター３１２および入力コネクター等を収納する。なお、光源用筐体７については、後で詳細に説明する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、システム光軸ＳＬに対して略直交する面内にマトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４とともに、光束を後述する液晶ライトバルブ３５１の表面に略重畳させる。
偏光変換素子３２３は、第２レンズアレイ３２２から射出されたランダム偏光光を液晶ライトバルブ３５１で利用可能な略１種類の偏光光に揃える機能を有する。
【００３０】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３２】
電気光学装置３５は、光変調装置としての液晶ライトバルブ３５１、および色合成光学装置としてのクロスダイクロイックプリズム３５２を備える。
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有し、色分離光学系３３で分離された各色光を画像情報に応じて変調する。
【００３３】
入射側偏光板は、色分離光学系３３で分離された各光束のうち、偏光変換素子３２３で揃えられた偏光方向と略同一の偏光方向を有する偏光光を透過する。
液晶パネルは、一対の透明なガラス基板に電気光学物質である液晶が封入され、図示しない微小画素がマトリクス状に形成された矩形状の画像形成領域を有している。液晶パネルは、制御部からの駆動信号に応じて、液晶の配向状態が制御され、入射側偏光板から射出された偏光光の偏光方向を変調する。
射出側偏光板は、入射側偏光板と略同様の機能を有し、液晶パネルから射出された光束のうち、一定方向の偏光光を透過し、その他の光束を吸収する。
【００３４】
また、液晶ライトバルブ３５１は、光束の入射角に依存してコントラストが異なる視野角特性を有している。例えば、液晶ライトバルブ３５１の光束が入射する側から見てシステム光軸ＳＬに対して傾斜し、右下側から入射する光束に対してコントラストが高まる液晶ライトバルブ（以下、「Ｒ型液晶ライトバルブ」という）や、左下側から入射する光束に対してコントラストが高まる液晶ライトバルブ（以下、「Ｌ型液晶ライトバルブ」という）がある。
【００３５】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３６】
投写レンズ３６は、複数のレンズを組み合わせた組レンズとして構成され、クロスダイクロイックプリズム３５２にて合成された光をスクリーン上に拡大投写する。
【００３７】
保持部４は、後述する移動機構６に取り付けられ、光源装置３１を着脱可能に保持するように構成されている。そして、保持部４は、前述したように、光源装置３１と共に移動可能になっている。
【００３８】
光学部品用筐体５は、前述した光学部品３２〜３６を光路上の所定位置に配置する。
移動機構６は、光学部品用筐体５に取り付けられ、保持部４を光源装置３１と共に光軸Ｌに略直交する面内で互いに略直交する２方向に移動させることが可能に構成されている。なお、保持部４、光学部品用筐体５、および移動機構６については、後で詳細に説明する。
【００３９】
電源装置は、詳しい図示は省略するが、電源ブロックおよび光源装置３１を駆動する光源駆動ブロックを備え、制御部および光源３１１等の電子部品に電力を供給する。電源駆動ブロックは、光源装置３１に電力を供給するための出力コネクターＴを備え、この出力コネクターＴは、ケーブルＣＡを介して保持部４に配置されている（図４参照）。
【００４０】
ここで、光源用筐体７について説明する。
図３は、光学ユニット３の斜視図、図４は、光学ユニット３の分解斜視図である。なお、図３、図４は投写レンズ３６を省略した図である。
光源用筐体７は、高耐熱性材料で、図３、図４に示すように、略直方体の箱状に形成されており、＋Ｘ側の側面には、図示しない開口部が形成されている。光源３１１およびリフレクター３１２は、この開口部から光束を射出するように、光源用筐体７に収納されている。光源用筐体７の＋Ｙ側には、図示しない入力コネクターが取り付けられている。入力コネクターは、図示しないケーブルを介して光源３１１の電極に接続されている。
【００４１】
次に、保持部４について詳細に説明する。
図５は、保持部４の斜視図である。
保持部４は、図５に示すように、＋Ｚ側（上側）および−Ｘ側に開口部を有し、光源装置３１が装着される挿着部４１、および挿着部４１の＋Ｘ側に設けられた取付部４２を備えている。
挿着部４１は、Ｘ−Ｙ平面に略沿う底面部４１１と底面部４１１の±Ｙ側端縁のそれぞれから起立する側面部４１２を有している。そして、底面部４１１には、光源装置３１が位置決めされる２つの位置決め用孔４１１１が形成されている。
【００４２】
底面部４１１と側面部４１２とが交差する角部には、図５に示すように、複数の孔４１１２が設けられており、この孔４１１２から光源装置３１を冷却するための空気が流通可能になっている。また、＋Ｙ側および−Ｙ側の側面部４１２先端の一部には、Ｘ−Ｙ平面に略沿う平坦部４１２１が形成され、この平坦部４１２１には、光源装置３１が固定されるネジ穴４１２２が設けられている。また、＋Ｙ側の平坦部４１２１には、上下方向に貫通する孔４１２３が形成され、図４に示すように、電源装置の出力コネクターＴは、先端がこの孔４１２３から露出するように配置される。
【００４３】
取付部４２は、光源装置３１の光軸Ｌを略中心とする円筒状の円筒部４２１、および円筒部４２１の＋Ｘ側の端部に設けられた平面視矩形状のフランジ部４２２を有している。円筒部４２１は、光源装置３１からの光束が通過し、損失なくインテグレーター照明光学系３２に射出される大きさに形成されている。フランジ部４２２は、角部に位置決め用孔４２１１およびネジが挿通される丸孔４２１２が形成されている。
【００４４】
光源装置３１は、光源用筐体７の下方から突出する図示しない位置決めボスが位置決め用孔４１１１に挿入するように上方から挿着部４１に配置され、ネジ穴４１２２にネジが螺合されて保持部４に固定される（図３参照）。光源装置３１は、挿着部４１に配置される際に入力コネクターが電源装置の出力コネクターＴに接続される。一方、保持部４に固定された光源装置３１は、ネジの螺合が解除された後、上方（＋Ｚ方向）に引き出されることによって、保持部４から取り外される。
【００４５】
次に、光学部品用筐体５について詳細に説明する。
光学部品用筐体５は、図３、図４に示すように、Ｘ方向に長く延出する箱状に形成されており、上側（＋Ｚ側）に図示しない開口部を有し、前述した光学部品３２〜３６を収納する下部筐体５１と、この開口部を閉塞する上部筐体５２とを備えている。
【００４６】
下部筐体５１は、Ｘ−Ｙ平面に略沿う底面部（図示省略）、および底面部の縁端から上下方向に延出する側面部５１１を有している。側面部５１１の内面には、±Ｚ方向に沿って窪む複数の溝が形成されており、第１レンズアレイ３２１、第２レンズアレイ３２２等の光学部品は、側端部がこの溝に挿入されて配置される。図示は省略するが、電気光学装置３５は、保持部材を介して底面部にネジ固定され、投写レンズ３６は、＋Ｙ側の側面部５１１にネジ固定される。
【００４７】
また、下部筐体５１の−Ｘ側端部には、図４に示すように、Ｙ−Ｚ平面に略沿う端面５１２Ａを有し、＋Ｙ側および−Ｙ側の側面部５１１からそれぞれ突出する移動機構取付部５１２が設けられている。
移動機構取付部５１２には、図４に示すように、略中央部に光源装置３１から射出された光束が通過し、第１レンズアレイ３２１が露出する開口部５１２１が形成されている。そして、移動機構取付部５１２には、開口部５１２１の外側に端面５１２Ａから−Ｘ方向に突出する複数の位置決め用突起５１２２、および複数のネジ穴５１２３が設けられている。
【００４８】
次に、移動機構６について詳細に説明する。
移動機構６は、プロジェクター１の外部から使用者が操作し、光源装置３１を移動できるように構成されている。移動機構６は、図３に示すように、光学部品用筐体５の移動機構取付部５１２に取り付けられ、保持部４を光源装置３１と共に−Ｘ側に支持する。
【００４９】
図６は、移動機構６の斜視図である。
移動機構６は、図６に示すように、固定板６１、第１移動部６２、第２移動部６３、補助板６４、支持板６５、上カバー６６、第１駆動部６７、第２駆動部６８、および遮光部材６９を備えている。
【００５０】
固定板６１は、光学部品用筐体５に固定され、移動機構６全体を支持する部材である。固定板６１は、平面視略矩形に形成され、略中央部分には、光源装置３１から射出された光束が通過する開口部６１１が設けられている。そして、固定板６１には、光学部品用筐体５の位置決め用突起５１２２、ネジ穴５１２３（図４参照）にそれぞれ対応する位置に、位置決め用穴（図示省略）、丸孔６１２が設けられている。
【００５１】
第１移動部６２は、保持部４が光源装置３１と共に支持され、固定板６１に対し、±Ｙ方向、および±Ｚ方向に移動可能に構成されている。第１移動部６２は、固定板６１より小さな平面視略矩形に形成され、固定板６１の−Ｘ側に配置される。なお、±Ｙ方向は、第１方向、±Ｚ方向は、第２方向に相当する。
【００５２】
第１移動部６２の−Ｘ側には、中央部に保持部４のフランジ部４２２が支持される凹部６２１が設けられている。そして、この凹部６２１には、光源装置３１から射出された光束が通過する開口部６２２、および保持部４の位置決め用孔４２１１、丸孔４２１２（図５参照）にそれぞれ対応する位置に、ボス６２３、ネジ穴６２４が設けられている。また、第１移動部６２の＋Ｙ側端部には、＋Ｙ方向に突出する円柱状の第１移動突起（図示せず）が設けられている。
【００５３】
第２移動部６３は、固定板６１より小さな平面視略矩形に形成され、第１移動部６２の−Ｘ側に配置される。第２移動部６３は、中央部に保持部４の取付部４２が挿通される開口部６３１を有し、図示しない係合部によって第１移動部６２と係合している。そして、第２移動部６３は、第１移動部６２と共に±Ｙ方向（第１方向）に移動可能に構成され、第１移動部６２の±Ｚ方向（第２方向）への移動を案内する。また、第２移動部６３の−Ｘ側端部には、−Ｘ方向に突出する円柱状の第２移動突起（図示せず）が設けられている。
【００５４】
補助板６４は、固定板６１と同様の形状を有し、第２移動部６３の−Ｘ側に配置され、固定板６１とで第１移動部６２および第２移動部６３を挟装する。補助板６４の中央部分には、保持部４の取付部４２が挿通される開口部６４１が形成されている。また、補助板６４には、第２移動部６３と係合し、第２移動部６３の±Ｙ方向（第１方向）への移動を案内する案内部（図示せず）が設けられている。
【００５５】
補助板６４の＋Ｘ側端面には、図６に示すように、＋Ｘ方向に突出し、固定板６１が固定される複数のボス６４２が形成されている（図６においては１つのみを示す）。ボス６４２には、ネジ穴が形成されており、固定板６１は、−Ｘ側の端面にボス６４２が当接した状態で補助板６４にネジ固定される。また、補助板６４には、光学部品用筐体５のネジ穴５１２３（図４参照）に対応する位置に丸孔６４３が形成されており、組み立てられた移動機構６が光学部品用筐体５にネジ固定される際にこの丸孔６４３からドライバーが挿通できるようになっている。
【００５６】
支持板６５は、板状に形成され、図６に示すように、固定板６１および補助板６４の＋Ｙ側に配置される。そして、支持板６５は、第１駆動部６７を支持するとともに、固定板６１および補助板６４の接続状態を補強する。
【００５７】
上カバー６６は、図６に示すように、固定板６１および補助板６４の上端面（＋Ｚ側の端面）にネジ固定され、後述する付勢部材（図示せず）を第２移動部とで挟持する。
上カバー６６は、平面視矩形状の板体から構成され、後述する第２ダイヤル６８１の一部が露出する開口部６６１、および＋Ｚ方向に突出する円筒状の突起６６２が設けられている。この突起６６２は、内側にアッパーケース２１の内面から−Ｚ方向に突出する図示しない突起が嵌合するように形成されており、移動機構６とアッパーケース２１とが互いに精度良く配置されるようになっている。
【００５８】
第１駆動部６７は、使用者の操作により第１移動部６２を±Ｚ方向（第２方向）に移動させる機能を有している。第１駆動部６７は、第１ダイヤル６７１、駆動ギア６７２、および図示しないダイヤル歯車や中間歯車等の輪列部を備えている。
【００５９】
第１ダイヤル６７１は、前述したように、一部がアッパーケースの上面２１Ｂから露出し（図１参照）、使用者によって操作される操作部である。第１ダイヤル６７１は、図６に示すように、略円柱形状を有し、支持板６５の＋Ｙ側に配置されている。そして、第１ダイヤル６７１は、支持板６５の−Ｙ側に配置されたダイヤル歯車と係合されて支持板６５に支持され、Ｙ方向に沿う中心軸を中心に回転可能になっている。
【００６０】
駆動ギア６７２は、詳細な図は省略するが、軸部を有し、この軸部から放射状に延出する平面視扇状に形成されている。そして、駆動ギア６７２は、扇状の端面にギヤが形成され、軸部とギヤとの間にトラック孔が形成されている。駆動ギア６７２は、支持板６５の−Ｙ側に軸支され、中間歯車を介してダイヤル歯車と噛合し、トラック孔に第１移動部６２の第１移動突起が挿通されて配置される。
【００６１】
第２駆動部６８は、使用者の操作により第２移動部６３を±Ｙ方向（第１方向）に移動させる機能を有している。第２駆動部６８は、第１駆動部６７と同様に、第２ダイヤル６８１、および図示しない駆動ギア等の輪列部を備えている。
【００６２】
第２ダイヤル６８１は、前述したように、一部がアッパーケースの上面２１Ｂから露出し（図１参照）、使用者によって操作される操作部である。第２ダイヤル６８１は、図６に示すように、第１ダイヤル６７１と同様に、略円柱形状を有して形成され、上側が上カバー６６から突出し、補助板６４の−Ｘ側に配置されている。そして、第２ダイヤル６８１は、補助板６４の＋Ｘ側に配置された輪列部と係合されて補助板６４に支持され、Ｘ方向に沿う中心軸を中心に回転可能になっている。第２駆動部６８の駆動ギアは、駆動ギア６７２と同様にトラック孔を有し、このトラック孔に第２移動部６３の第２移動突起が挿通されて配置される。
【００６３】
また、具体的な図は省略するが、第１移動部６２と第２移動部６３との間、および第２移動部６３と上カバー６６との間には、付勢部材が配置されている。
第１移動部６２と第２移動部６３との間に配置された付勢部材は、第１移動部６２を固定板６１側に付勢すると共に、第２移動部６３を補助板６４側に付勢する。これにより、固定板６１と第１移動部６２との間、および補助板６４と第２移動部６３との間には、摩擦抵抗が生じることとなる。
【００６４】
一方、第２移動部６３と上カバー６６との間に配置される付勢部材は、第２移動部６３を上カバー６６に対して−Ｚ方向（下方向）に付勢する。これにより、第２移動部６３と補助板６４とが係合されている部位には、摩擦抵抗が生じることとなる。
これらの摩擦抵抗によって、第１移動部６２に支持されている保持部４および光源装置３１は、自重等により位置が変わってしまうことが防止され、第１ダイヤル６７１あるいは第２ダイヤル６８１が操作されない際には、位置が維持される。
【００６５】
遮光部材６９は、第１ダイヤル６７１とアッパーケース２１のダイヤル用開口部２１５との間からの光漏れを抑制する機能を有し、上下方向における第１ダイヤル６７１の中央部を囲むように形成されている。具体的に、遮光部材６９は、図６に示すように、支持板６５の上方を覆い、第１ダイヤル６７１の後側（−Ｙ側）に位置する後方部６９１、第１ダイヤル６７１の前側（＋Ｙ側）に位置する前方部６９２、および第１ダイヤル６７１の±Ｘ側にそれぞれに位置する側方部６９３を有している（＋Ｘ側の側方部６９３は、図示せず）。
【００６６】
移動機構６は、各部品が組み立てられた状態で固定板６１の位置決め用孔に光学部品用筐体５の位置決め用突起５１２２（図４参照）が挿通され、丸孔６１２にネジが挿通されて光学部品用筐体５にネジ固定される。
保持部４は、取付部４２が移動機構６の−Ｘ側から開口部６４１，６３１に挿通され、位置決め用孔４２１１にボス６２３が挿入されて第１移動部６２の凹部６２１に配置される。そして、保持部４は、丸孔４２１２にネジが挿通されて第１移動部６２に固定される。
【００６７】
ここで、移動機構６の動作について説明する。
移動機構６は、第１ダイヤル６７１や第２ダイヤル６８１が回転されることによって、第１移動部６２や第２移動部６３が移動し、第１移動部６２に支持されている保持部４および光源装置３１が光学部品用筐体５に対して移動する。
【００６８】
具体的に、第１ダイヤル６７１が回転されると、駆動ギア６７２は、ダイヤル歯車および中間歯車を介して第１ダイヤル６７１の回転が伝達され、トラック孔が移動する。そして、このトラック孔に第１移動突起が挿通されている第１移動部６２は、±Ｚ方向（第２方向）に移動することとなる。より具体的に、第１移動部６２は、図６に示すように、＋Ｙ方向から見て第１ダイヤル６７１が時計回り（図６におけるＣＷ方向）に回転されると、上方（＋Ｚ方向）に移動し、第１ダイヤル６７１が反時計回り（図６におけるＣＣＷ方向）に回転されると、下方（−Ｚ方向）に移動する。そして、光源装置３１は、第１移動部６２に追従して移動する。
【００６９】
一方、第２ダイヤル６８１が回転されると、第２駆動部６８の駆動ギアは、トラック孔が移動し、このトラック孔に第２移動突起が挿通されている第２移動部６３は、±Ｙ方向（第１方向）に移動することとなる。より具体的に、第２移動部６３は、図６に示すように、−Ｘ方向から見て第２ダイヤル６８１が時計回り（図６におけるＣＷ方向）に回転されると、＋Ｙ方向に移動し、第２ダイヤル６８１が反時計回り（図６におけるＣＣＷ方向）に回転されると、−Ｙ方向に移動する。そして、光源装置３１は、第２移動部６３に追従して第１移動部６２と共に移動する。
【００７０】
このように、光源装置３１は、第１ダイヤル６７１が回転されることによって、±Ｚ方向（第２方向）に移動し、第２ダイヤル６８１が回転されることによって、±Ｙ方向（第１方向）に移動する。つまり、光源装置３１は、移動機構６が操作されることによって、光軸Ｌに略直交する面内で互いに直交する２方向に移動する。
【００７１】
光源装置３１が移動されると、光源装置３１から射出される光束は、移動された位置に応じて液晶ライトバルブ３５１に入射する角度や、投写される画像の照度分布が変わる。
【００７２】
先ず、光源装置３１が移動された際の液晶ライトバルブ３５１への光束の入射角について説明する。
基準状態における光源装置３１から射出された光束は、前述したように、各液晶ライトバルブ３５１の入射側端面に略直角に入射する。
図７は、光学ユニットを模式的に示す図であり、光源装置３１が基準状態から移動された状態を示す図である。
図７に示すように、光源装置３１が基準位置から−Ｙ方向および−Ｚ方向に移動されると（−Ｚ方向については図示省略）、光源装置３１から射出される光束は、液晶ライトバルブ３５１Ｇと、液晶ライトバルブ３５１Ｒおよび液晶ライトバルブ３５１Ｂとに異なった入射角で入射する。
【００７３】
具体的に、移動された光源装置３１から射出された光束の内Ｂ光Ｂmは、ダイクロイックミラー３３１および反射ミラー３３３にて順次反射された後、液晶ライトバルブ３５１Ｂに光束が入射する側から見てシステム光軸ＳＬに対して左下方向に傾斜する入射角で入射する。
移動された光源装置３１から射出された光束の内Ｇ光Ｇmは、ダイクロイックミラー３３２にて反射された後、液晶ライトバルブ３５１Ｇに光束が入射する側から見てシステム光軸ＳＬに対して右下方向に傾斜する入射角で入射する。
そして、移動された光源装置３１から射出された光束の内Ｒ光Ｒmは、反射ミラー３４２，３４４に順次反射された後、液晶ライトバルブ３５１Ｒに光束が入射する側から見てシステム光軸ＳＬに対して左下方向に傾斜する入射角で入射する。
【００７４】
つまり、液晶ライトバルブ３５１ＧとしてＲ型液晶ライトバルブを用い、液晶ライトバルブ３５１Ｒおよび液晶ライトバルブ３５１ＢとしてＬ型液晶ライトバルブを用いた際に、光源装置３１は、基準位置から−Ｙ方向および−Ｚ方向に移動されることで、基準状態より高コントラストの画像を得るように効率よく液晶ライトバルブ３５１を照射することが可能となる。
【００７５】
また、図示は省略するが、光源装置３１が基準位置から＋Ｙ方向および−Ｚ方向に移動されると、液晶ライトバルブ３５１Ｇには、液晶ライトバルブ３５１Ｇの光束が入射する側から見てシステム光軸ＳＬに対して左下方向に傾斜する入射角で入射する。一方、液晶ライトバルブ３５１Ｒおよび液晶ライトバルブ３５１Ｂには、液晶ライトバルブ３５１Ｒ，３５１Ｂの光束が入射する側からそれぞれ見てシステム光軸ＳＬに対して右下方向に傾斜する入射角で入射する。
【００７６】
つまり、液晶ライトバルブ３５１ＧとしてＬ型液晶ライトバルブを用い、液晶ライトバルブ３５１Ｒおよび液晶ライトバルブ３５１ＢとしてＲ型液晶ライトバルブを用いた際に、光源装置３１が基準位置から＋Ｙ方向および−Ｚ方向に移動されることで、基準状態より高コントラストの画像を得るように効率よく液晶ライトバルブ３５１を照射することが可能となる。
このように、光源装置３１が移動されることによって、液晶ライトバルブ３５１の画像形成領域に対する入射角をその視野角特性に応じて傾けたものとすることができる。
【００７７】
次に、光源装置３１が移動された際の投写される画像の照度分布ついて説明する。
光源装置３１から射出される光束は、インテグレーター照明光学系３２によって略均一化されるとはいうものの、光源３１１が個別に有する輝度分布のバラツキ等によって、液晶ライトバルブ３５１の画像形成領域に照射される光束も照度分布がばらつく。画像形成領域に照射される光束の照度分布がばらつくと、投写される画像の照度分布もばらつくこととなる。
【００７８】
例えば、光源装置３１から射出された光束の−Ｙ側が＋Ｙ側より光量が多い輝度分布の場合を説明する。
図８は、基準状態における光源装置３１から射出された光束の光路を模式的に示す図であり、光源装置３１から射出された光束のうち＋Ｙ側の光束の光路、および−Ｙ側の光束の光路を示す図である。具体的に、図８は、インテグレーター照明光学系３２以降の光路を示す図であり、（ａ）は、Ｂ光の光路、（ｂ）は、Ｇ光の光路、（ｃ）は、Ｒ光の光路を示す図である。
【００７９】
図８（ａ）に示すように、光源装置３１から射出された光束のうち、＋Ｙ側のＢ光Ｂ2より光量の多い−Ｙ側のＢ光Ｂ1は、ダイクロイックミラー３３１、反射ミラー３３３およびクロスダイクロイックプリズム３５２にて反射された後、投写レンズ３６にて反転され、＋Ｘ側に射出される。一方、光源装置３１から射出された光束のうち、Ｂ光Ｂ2は、Ｂ光Ｂ1と同様の経路を経て、投写レンズ３６から−Ｘ側に射出される。
【００８０】
図８（ｂ）に示すように、光源装置３１から射出された光束のうち、＋Ｙ側のＧ光Ｇ2より光量の多い−Ｙ側のＧ光Ｇ1は、ダイクロイックミラー３３２にて反射され、クロスダイクロイックプリズム３５２を透過した後、投写レンズ３６にて反転され、＋Ｘ側に射出される。一方、光源装置３１から射出された光束のうち、Ｇ光Ｇ2は、Ｇ光Ｇ1と同様の経路を経て、投写レンズ３６から−Ｘ側に射出される。
【００８１】
図８（ｃ）に示すように、光源装置３１から射出された光束のうち、＋Ｙ側のＲ光Ｒ2より光量の多い−Ｙ側のＲ光Ｒ1は、反射ミラー３４２にて反射され、リレーレンズ３４３等によって反転された後、反射ミラー３４４およびクロスダイクロイックプリズム３５２にて反射される。そして、クロスダイクロイックプリズム３５２から射出されたＲ光Ｒ1は、投写レンズ３６にて反転されて−Ｘ側に射出される。一方、光源装置３１から射出された光束のうち、Ｒ光Ｒ2は、Ｒ光Ｒ1と同様の経路を経て、投写レンズ３６から＋Ｘ側に射出される。
【００８２】
このように、投写レンズ３６から射出される光束の＋Ｘ側は、Ｂ光、およびＧ光がＲ光より強く、−Ｘ側は、Ｒ光がＢ光、およびＧ光より強くなることとなる。すなわち、投写レンズ３６から投写されスクリーンに表示される画像は、＋Ｘ側がシアン系の色合いが強まり、−Ｘ側が赤系の色合いが強まる色むらが発生することとなる。
【００８３】
この基準状態から、光源装置３１を＋Ｙ側に移動すると、投写レンズ３６から射出される光束の＋Ｘ側は、Ｂ光、およびＧ光が弱まり、Ｒ光が強まって３色の光量バランスが調整される。一方、投写レンズ３６から射出される光束の−Ｘ側は、Ｒ光が弱まり、Ｂ光、およびＧ光が強まって３色の光量バランスが調整される。そして、投写レンズ３６から投写されスクリーンに表示される画像は、色むらが抑制された画像となる。
このように、光源装置３１が移動されることによって、投写される画像の照度分布を変えることができる。
【００８４】
以上説明したように、本実施形態のプロジェクター１によれば、以下の効果を得ることができる。
（１）光源装置３１を移動することによって、液晶ライトバルブ３５１の視野角特性に応じて光束の入射角を変更したり、液晶ライトバルブ３５１の画像形成領域への照度分布を変更したりすることができるので、プロジェクター１は、液晶ライトバルブ３５１が光源装置３１からの光束を有効に利用して変調し、コントラストの向上や色ムラの低減を図ってスクリーン等の投写面に画像を表示させることが可能となる。
【００８５】
（２）光源装置３１は、光軸Ｌに略直交する面内での移動が可能なので、移動される範囲が２次元的に広がり、さらに効率良く液晶ライトバルブ３５１に光束を照射することが可能となる。よって、プロジェクター１は、コントラストの向上や色ムラの低減をさらに図ってスクリーン等の投写面に画像を表示させることが可能となる。
【００８６】
（３）光源装置３１は、保持部４に保持され、保持部４と共に移動可能となっている。これによって、光源装置３１に光源装置３１を移動させるための構成や形状を盛り込むことなく、光源装置３１を移動させることができるので、光源装置３１の構成の簡素化や、複数の機種にこの光源装置３１を使用する、いわゆる共通化が可能となる。よって、光源装置３１の製造コストの低減化や、在庫管理の簡素化が図れる。また、保持部４は、光源装置３１が着脱可能に構成されているので、光源装置３１を交換する交換作業の簡素化が図れる。
【００８７】
（４）プロジェクター１の外部から光源装置３１を移動させることができるので、プロジェクター１の製造者に限らず使用者が光源装置３１を移動させ、光源装置３１の位置を調整できる。よって、長期使用に伴う光源３１１の光学的特性の変化に応じて光源装置３１を移動させたり、寿命等によって光源装置３１を交換した際等にその光源装置３１が個別に有する光学特性に合わせて移動させたりすることができる。したがって、プロジェクター１は、コントラストの向上や色ムラの低減を維持してスクリーン等の投写面に画像を表示させることが可能となる。また、使用する光源３１１の輝度バラツキの許容範囲を広げることや、光源装置３１を構成するリフレクター３１２や光源用筐体７の寸法精度の緩和が可能となるので、光源装置３１製造の歩留まり向上や光源装置３１の低コスト化が図れる。
【００８８】
（５）使用者は、第１ダイヤル６７１および第２ダイヤル６８１を操作することで、光軸Ｌに略直交する面内で光源装置３１を容易に移動させることができるので、投写された画像のコントラストの向上や色ムラの低減を図る際の操作性の向上が図れる。
【００８９】
（変形例）
なお、前記実施形態は、以下のように変更してもよい。
前記実施形態の光源装置３１は、±Ｙ方向および±Ｚ方向に移動可能に構成されているが、この方向に限らず、例えば、光軸Ｌに対して略直交する面内で±Ｙ方向に対して４５°等の角度を有する方向に移動可能に構成してもよい。また、前記実施形態の光源装置３１は、光軸Ｌに対して略直交する面内で互いに直交する２方向に移動されるように構成されているが、光軸Ｌに対して略直交する１方向に移動されるように構成してもよい。
【００９０】
前記実施形態のプロジェクター１は、１つの光源装置３１を備えて構成されているが、複数の光源装置３１を備え、その複数の光源装置３１のうち少なくとも１つが移動可能となるように構成したり、それぞれの光源装置３１が個別に移動可能となるように構成したりしてもよい。
【００９１】
前記実施形態の移動機構６は、第１ダイヤル６７１および第２ダイヤル６８１が使用者によって操作される、いわゆる手動式で構成されているが、モーター等を備えた電動式とし、外部からのリモートコントロールによって駆動するように構成してもよい。
【００９２】
前記実施形態では、光源装置３１は、上方から着脱されるように構成されているが、下方から着脱されるように構成してもよい。
【００９３】
前記実施形態のプロジェクター１は、光変調装置として透過型の液晶ライトバルブ３５１を用いているが、反射型液晶ライトバルブを利用したものであってもよい。
【００９４】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００９５】
１…プロジェクター、２…外装筐体、３…光学ユニット、４…保持部、５…光学部品用筐体、６…移動機構、７…光源用筐体、３１…光源装置、６１…固定板、６２…第１移動部、６３…第２移動部、６４…補助板、６５…支持板、６６…上カバー、６７…第１駆動部、６８…第２駆動部、６９…遮光部材、３１１…光源、３５１，３５１Ｂ，３５１Ｇ，３５１Ｒ…液晶ライトバルブ、Ｌ…光軸、ＳＬ…システム光軸。
【図１】
2011242712.tif 000003
【図２】
2011242712.tif 000004
【図３】
2011242712.tif 000005
【図４】
2011242712.tif 000006
【図５】
2011242712.tif 000007
【図６】
2011242712.tif 000008
【図７】
2011242712.tif 000009
【図８】
2011242712.tif 000010